(57)【要約】【課題】駆動用のモータのトルクの上昇を抑制することが可能な燃料ガス量制御装置を提供する。【解決手段】ガス通路３が形成された筐体１０と、安全弁４と、通流量の調整を行うガス流量調整弁（ニードル弁）６と、安全弁を開弁方向に移動させる安全弁用ロッド２１と、ガス流量調整弁を開弁方向に移動させるガス流量調整弁用ロッド２２と、回動して安全弁用ロッドとガス流量調整弁用ロッドを押し操作するカム体２０と、カム体を回動させるモータ３０とを備えた燃料ガス量制御装置Ａにおいて、ガス流量調整弁用ロッドは、カム体により押されずにカム体側の所定位置に位置するときに、ガス通路を閉止する閉止機能を備え、かつ、ガス流量調整弁用ロッドを付勢して、ガス流量調整弁用ロッドを所定位置に移動させる第３スプリングを備えるとともに、安全弁用ロッド、ガス流量調整弁用ロッド、および、カム体が、ガス通路内に配設された構成とする。【選択図】図１
2019011911.tif 000002
【特許請求の範囲】
【請求項１】
ガス入口と、ガス出口とを備え、内部に前記ガス入口から前記ガス出口に至るガス通路が形成された筐体と、
前記ガス通路内に配設され、前記ガス通路における燃料ガスの通流および遮断を切り換える安全弁と、
前記安全弁を閉弁方向に付勢する第１スプリングと、
前記ガス通路内に配設され、前記ガス通路における燃料ガスの通流量を調整するガス流量調整弁と、
前記ガス流量調整弁を絞る方向に付勢する第２スプリングと、
前記安全弁に当接し、前記第１スプリングの付勢力に抗して、前記安全弁を機械的に開弁方向に移動させる安全弁用ロッドと、
前記ガス流量調整弁に当接し、前記第２スプリングの付勢力に抗して、前記ガス流量調整弁を機械的に開弁方向に移動させるガス流量調整弁用ロッドと、
回動することにより、前記安全弁用ロッドと前記ガス流量調整弁用ロッドを押し操作するカム体と、
前記カム体を回動させるモータと
を備えた燃料ガス量制御装置であって、
前記ガス流量調整弁用ロッドは、前記カム体により押されずに前記カム体側の所定位置に位置するときに、前記ガス通路を閉止する閉止機能を備え、かつ、
前記ガス流量調整弁用ロッドを付勢して、前記ガス流量調整弁用ロッドを前記所定位置に移動させる第３スプリングを備えているとともに、
前記安全弁用ロッド、前記ガス流量調整弁用ロッド、および、前記カム体が、前記ガス通路内に配設されていること
を特徴とする燃料ガス量制御装置。
【請求項２】
前記ガス流量調整弁がニードル弁であって、前記ニードル弁を構成する弁体が、燃料ガスが通過するガス通過孔を備えていることを特徴とする請求項１記載の燃料ガス量制御装置。
【請求項３】
前記モータが、内部に前記ガス通路が形成された前記筐体の外側に配設されているとともに、
前記モータにより回転駆動され、前記カム体を回動させる回転軸が、前記筐体を貫通するように配設され、
前記筐体と前記回転軸との間が、シール部材によりシールされていること
を特徴とする請求項１または２記載の燃料ガス量制御装置。
【請求項４】
前記安全弁用ロッド、前記ニードル弁用ロッド、前記カム体、および、前記モータが前記ガス通路内に配設され、かつ、
前記モータは前記カム体を回動させる回転軸を備えているとともに、
前記回転軸が前記ガス通路内に配設されていること
を特徴とする請求項１はまたは２記載の燃料ガス量制御装置。
【発明の詳細な説明】
【技術分野】
【０００１】
本発明は、ガス量制御装置に関し、詳しくは、ガス調理器などに用いられる燃料ガス量制御装置に関する。
【背景技術】
【０００２】
例えば、ガスコンロやガスグリルなどのガス調理器においては、調理の際の加熱量の調整などを行うため、燃料ガスの流量を制御する燃料ガス量制御装置が用いられている。
【０００３】
そのような燃料ガス量制御装置の１つとして、特許文献１には、ガスコンロなどの燃焼機器の自動化と安全性を両立させたガスバルブを実現することが可能な、モータ駆動式のガス量制御装置（器具栓）が記載されている。
【０００４】
ガス量制御装置は、一つのモータで駆動することにより、コストの増大を抑えつつ、安全弁の開閉と流量調整弁の駆動を行うことができるようにしている。
【０００５】
この特許文献１のガス量制御装置では、流量調整弁に閉止機能を持たせるようにしている。
【０００６】
また、ガス通路には、安全弁と、閉止機能を有する流量調整弁とが直列に配置され、待機時（運転停止時）には、安全弁と、閉止機能を有する流量調整弁とにより、二重に燃料ガスの遮断が行われるように構成されている。
【０００７】
さらに、安全弁を操作して強制的に開状態としているときに、流量調整弁は閉弁状態に保たれ、駆動手段が故障しても燃料ガスの流出がないように構成されている。
【０００８】
また、燃焼時には、流量調整弁が開くが、このとき安全弁に対して強制的に開操作が行われないように構成されており、この状態で燃焼機器において火が消えても、安全弁の吸着を解除することにより安全弁が閉弁するので、燃料ガスの流出がないように構成されている。
【０００９】
また、流量調節弁として、ニードル式調整弁を使用することにより、段階的ではなく連続的な流量調整が可能に構成されている。
【先行技術文献】
【特許文献】
【００１０】
【特許文献１】特開平０５−１１３２１５号公報
【発明の概要】
【発明が解決しようとする課題】
【００１１】
しかし、上記特許文献１に記載されたガス量制御装置の場合、Ｏリングにより、ガス通路と外部とのシールを行う部位が、安全弁、および、流量調整弁の各々に存在しており、シール部の摺動抵抗によって、駆動用のモータが備えているべきトルクが大きくなるという問題点がある。
【００１２】
本発明は、上記に鑑みなされたものであり、駆動用のモータのトルクの上昇を抑制することが可能な燃料ガス量制御装置を提供することを目的とする。
【課題を解決するための手段】
【００１３】
上記の目的を達成するために、本発明の燃料ガス量制御装置は、
ガス入口と、ガス出口とを備え、内部に前記ガス入口から前記ガス出口に至るガス通路が形成された筐体と、
前記ガス通路内に配設され、前記ガス通路における燃料ガスの通流および遮断を切り換える安全弁と、
前記安全弁を閉弁方向に付勢する第１スプリングと、
前記ガス通路内に配設され、前記ガス通路における燃料ガスの通流量を調整するガス流量調整弁と、
前記ガス流量調整弁を絞る方向に付勢する第２スプリングと、
前記安全弁に当接し、前記第１スプリングの付勢力に抗して、前記安全弁を機械的に開弁方向に移動させる安全弁用ロッドと、
前記ガス流量調整弁に当接し、前記第２スプリングの付勢力に抗して、前記ガス流量調整弁を機械的に開弁方向に移動させるガス流量調整弁用ロッドと、
回動することにより、前記安全弁用ロッドと前記ガス流量調整弁用ロッドを押し操作するカム体と、
前記カム体を回動させるモータと
を備えた燃料ガス量制御装置であって、
前記ガス流量調整弁用ロッドは、前記カム体により押されずに前記カム体側の所定位置に位置するときに、前記ガス通路を閉止する閉止機能を備え、かつ、
前記ガス流量調整弁用ロッドを付勢して、前記ガス流量調整弁用ロッドを前記所定位置に移動させる第３スプリングを備えているとともに、
前記安全弁用ロッド、前記ガス流量調整弁用ロッド、および、前記カム体が、前記ガス通路内に配設されていること
を特徴としている。
【００１４】
本発明の燃料ガス量制御装置においては、前記ガス流量調整弁がニードル弁であって、前記ニードル弁を構成する弁体が、燃料ガスが通過するガス通過孔を備えていることが好ましい。
【００１５】
また、前記モータが、内部に前記ガス通路が形成された前記筐体の外側に配設されているとともに、
前記モータにより回転駆動され、前記カム体を回動させる回転軸が、前記筐体を貫通するように配設され、
前記筐体と前記回転軸との間が、シール部材によりシールされていること
が好ましい。
【００１６】
また、前記安全弁用ロッド、前記ニードル弁用ロッド、前記カム体、および、前記モータが前記ガス通路内に配設され、かつ、
前記モータは前記カム体を回動させる回転軸を備えているとともに、
前記回転軸が前記ガス通路内に配設されていること
が好ましい。
【発明の効果】
【００１７】
本発明の燃料ガス量制御装置は、上述のように構成されており、ガス流量調整弁用ロッドは、カム体により押されずに上記カム体側の所定位置（すなわち、カム体により押されることで例えばニードル弁などのガス量調整弁を開弁させてしまう位置よりも手前の位置）に位置するときに、ガス通路を閉止する閉止機能を備え、かつ、ガス流量調整弁用ロッドを付勢して、ガス流量調整弁用ロッドを所定位置に移動させる第３スプリングを備えているとともに、安全弁用ロッド、ガス流量調整弁用ロッド、および、カム体が、ガス通路内に配設されているので、筐体の内部のガス通路と、筐体の外部との間で、例えばＯリングなどのシール部材でシールを行う必要がある可動部が多く存在することによって、カム体を回動させるための駆動用のモータに求められるトルクの大きさが大きくなることを抑制することができる。
【００１８】
また、ガス流量調整弁用ロッドは、上述のように、カム体側の所定位置に位置するときに、ガス通路を閉止する閉止機能を備えているとともに、ガス流量調整弁用ロッドを付勢して、ガス流量調整弁用ロッドを上述の所定位置に移動させる第３スプリングを備えているので、燃料ガスのガス通路内の通流を、安全弁と、ガス流量調整弁用ロッドとによって二重に遮断することができるので、信頼性の高い燃料ガス量制御装置を提供することができる。
【００１９】
ガス流量調整弁がニードル弁であって、ニードル弁を構成する弁体が、燃料ガスが通過するガス通過孔を備えた構成とした場合、上記ガス通過孔によって、燃料ガスの通過量を、最小通過量に安定して制御する（維持する）ことが可能になる。
【００２０】
また、モータが、内部にガス通路が形成された筐体の外側に配設されているとともに、モータにより回転駆動され、カム体を回動させる回転軸が、筐体を貫通するように配設され、筐体と回転軸との間が、シール部材によりシールされている構成とした場合、すなわち、モータを筐体の外側に配設した場合、筐体を小型化することが可能になり、製造コストを低減することができる。
また、筐体と回転軸の間をシールすればよいので、カム体を回動させるための駆動用のモータに求められるトルクの大きさを抑制することができる。
【００２１】
また、安全弁用ロッド、ニードル弁用ロッド、カム体、および、モータがガス通路内に配設され、かつ、モータはカム体を回動させる回転軸を備えているとともに、回転軸がガス通路内に配設された構成とした場合、筐体の内部のガス通路と、筐体の外部との間でシールを行う必要がある可動部がなくなり、カム体を回動させるための駆動用のモータに求められるトルクの大きさを低減することが可能になる。
【００２２】
また、筐体の内部のガス通路と、筐体の外部との間でシールすべき可動部がなくなるため、ガス通路内を通流する燃料ガスの圧力を高くすることが可能になり、通流量を制御すべき燃料ガスの圧力条件などの自由度の高い燃料ガス量制御装置を実現することが可能になる。
【図面の簡単な説明】
【００２３】
【図１】本発明の実施形態にかかる燃料ガス量制御装置を示す図であって、閉弁状態にある燃料ガス量制御装置を示す要部断面図である。
【図２】本発明の実施形態にかかる燃料ガス量制御装置の、ガス通路と外部とのシールを行う部位を示す要部断面図である。
【図３】本発明の別実施形態にかかる燃料ガス量制御装置の、ガス通路内にモータ（ギアモータ）が配設されている状態を示す要部断面図である。
【発明を実施するための形態】
【００２４】
以下、本発明の実施形態を示して、その特徴とするところをさらに詳しく説明する。
【００２５】
［実施形態］
図１は、本発明の実施形態にかかる燃料ガス量制御装置Ａを示す要部断面図である。
【００２６】
本実施形態にかかる燃料ガス量制御装置Ａは、ガスコンロやガスグリルやガス給湯器などのガス機器の燃料となる燃料ガスの通流を制御するための装置として用いられるものである。以下、図１および図２を参照しつつ、その構成について説明する。
【００２７】
＜燃料ガス量制御装置の構成＞
燃料ガス量制御装置Ａは、ガス入口1と、ガス出口２とを備え、内部にガス入口からガス出口に至るガス通路３が形成された筐体１０を備えている。
【００２８】
ガス通路３内には、ガス通路３における燃料ガスの通流および遮断を切り換える安全弁４と、安全弁４を閉弁方向に付勢する第１スプリング１１とが配設されている。なお、安全弁４は、弁体４ａが、安全弁４が備えるコイル（図示せず）への通電によって吸着保持されるように構成されている。
【００２９】
さらに、ガス通路３内には、ガス通路３における燃料ガスの通流量を調整するとともに、ガス通路３における燃料ガスの通流を遮断することができるように構成されたガス流量調整弁（ニードル弁）６と、ガス流量調整弁６を絞る方向に付勢する第２スプリング１２とを備えている。
【００３０】
また、ガス通路３内には、安全弁４に当接し、第１スプリング１１の付勢力に抗して、安全弁４を機械的に開弁方向に移動させる安全弁用ロッド２１が配設されている。
【００３１】
さらに、ガス通路３内には、ガス流量調整弁（ニードル弁）６に当接し、第２スプリング１２の付勢力に抗して、ガス流量調整弁（ニードル弁）６を機械的に開弁方向に移動させるガス流量調整弁用ロッド（ニードル弁用ロッド）２２が配設されている。
【００３２】
また、ガス通路３内には、回動することにより、安全弁用ロッド２１とガス流量調整弁用ロッド（ニードル弁用ロッド）２２を押し操作するカム体２０が配設されている。
【００３３】
ガス流量調整弁用ロッド（ニードル弁用ロッド）２２は、カム体２０側の所定位置、すなわち、カム体２０により押されることでガス流量調整弁用ロッド（ニードル弁用ロッド）２２がガス量調整弁（ニードル弁）６を押して開弁させてしまう位置よりも手前の位置に位置するときに、ガス通路３を閉止する閉止機能を果たすように構成されている。
【００３４】
具体的には、図１に示すように、ガス流量調整弁用ロッド（ニードル弁用ロッド）２２の当接部２２ａが、ガス通路３内の閉止当接部３ａに当接することで備え、ガス通路３が閉止されるように構成されている。
【００３５】
また、この実施形態の燃料ガス量制御装置Ａは、ガス流量調整弁用ロッド（ニードル弁用ロッド）２２を付勢して、ガス流量調整弁用ロッド（ニードル弁用ロッド）２２を上記所定位置に移動させる、第３スプリング１３を備えている。
【００３６】
また、本実施形態にかかる燃料ガス量制御装置Ａにおいては、安全弁用ロッド２１、および、ガス流量調整弁用ロッド（ニードル弁用ロッド）２２、および、カム体２０が、ガス通路３内に配設されている。
【００３７】
一方、図２に示すように、カム体２０を回転駆動させるモータ（ギアモータ）３０が、ガス通路６の外側に配設されているとともに、カム体２０を回転駆動させる回転軸３３が、筐体１０を貫通するように配設されている。
【００３８】
そして、筐体１０を貫通する回転軸と３３と筐体１０との間が、シール部材（Ｏリング）３４によりシールされている。
【００３９】
したがって、筐体１０の外側と、その内部のガス通路３との間でシールを行う必要がある部位が、回転軸３３が筐体１０を貫通している部位だけになり、回転軸３３を回転させる際の摺動抵抗が小さくなるため、駆動用のモータ（ギアモータ）３０に求められるトルクの大きさを低減することが可能な燃料ガス量制御装置を実現することができる。
【００４０】
また、上述のように、ガス流量調整弁用ロッド（ニードル弁用ロッド）２２が、カム体２０側の所定位置に位置するとき、ガス通路３が閉塞されるように構成されているとともに、ガス流量調整弁用ロッド（ニードル弁用ロッド）２２を付勢して、ガス流量調整弁用ロッド（ニードル弁用ロッド）２２を上記所定位置に移動させる第３スプリングを備えているので、燃料ガスのガス通路３内の通流を、安全弁４とガス流量調整弁用ロッド（ニードル弁用ロッド）２２とによって二重に遮断できるので、信頼性の高い燃料ガス量制御装置を提供することができる。
【００４１】
また、安全弁４が第１スプリング１１により閉弁方向に付勢され、ガス流量調整弁（ニードル弁）６が第２スプリング１２により流量を絞る方向に付勢され、ガス流量調整弁用ロッド（ニードル弁用ロッド）２２が第３スプリング１３により、上記所定位置の方向（カム体２０側の方向）に付勢されているため、燃料ガスの通流開始後、駆動用のモータ（ギアモータ）３０の位置をガスの通流を遮断する閉止位置に戻す際の、モータ（ギアモータ）３０のトルクの大きさを低減することが可能になる。
【００４２】
また、本実施形態にかかる燃料ガス量制御装置Ａにおいては、ガス流量調整弁（ニードル弁）６が、ガス通過孔１６を備えている（図１）。このガス通過孔１６は、図１に示すように、ガス流量調整弁（ニードル弁）６の当接部６ａが、弁座として機能する筐体１０の当接部１０ｂに当接することで、その部分における燃料ガスの通流が停止させられた場合にも、所定量（最小量）の燃料ガスの通流を許容するために設けられるものである。
【００４３】
さらに、ガス流量調整弁（ニードル弁）６は、補助ガス通過孔１６ａを備えている。この補助ガス通過孔１６ａは、図１に示すように、ガス流量調整弁用ロッド（ニードル弁用ロッド）２２の先端が、ガス流量調整弁（ニードル弁）６の先端（ガス通過孔１６の開口部が位置する部分）に当接し、開口部が閉塞された場合にも、所定量（最小量）の燃料ガスを通流させることができるように設けられている。
【００４４】
このように、ガス流量調整弁（ニードル弁）６が、ガス通過孔１６および補助ガス通過孔１６ａを備えていることで、燃料ガスの通過量を最小にしたい場合に、安定して最小通過量に制御する（維持する）ことが可能になる。
【００４５】
なお、ガス流量調整弁（ニードル弁）６が、ガス通過孔１６や補助ガス通過孔１６ａを備えている構成は、任意の構成であり、ガス流量調整弁（ニードル弁）６がガス通過孔や補助ガス通過孔を備えていない構成とすることも可能である。
【００４６】
本発明の実施形態にかかる燃料ガス量制御装置Ａについて、さらに、説明を加える。
【００４７】
この燃料ガス量制御装置Ａは、弁体４ａがコイル（図示せず）への通電によって吸着保持される安全弁４と、通流する燃料ガスの通流量を調整するガス流量調整弁（ニードル弁）６が直列に配置されている（図１）。
【００４８】
ガス流量調整弁（ニードル弁）６は、ニードルを前進後退させる方式のニードル式の弁であり、通流する燃料ガスの流量を段階的ではなく連続的に調整する調整機能を備えている。
【００４９】
モータ（ギアモータ）３０によって駆動されるカム体２０の回動により安全弁用ロッド２１やガス流量調整弁用ロッド（ニードル弁用ロッド）２２が進退し、安全弁４を開方向、および、閉方向に駆動し、ガス流量調整弁（ニードル弁）６を開方向、および、ガス流量が減少する方向に駆動するように構成されている。
【００５０】
安全弁４は、カム体２０が回転して安全弁用ロッド２１が安全弁４を機械的に強制的に開いていない状態では、コイル（図示せず）の通電を遮断すると閉弁するように構成されている。
【００５１】
また、本発明の実施形態にかかる燃料ガス量制御装置Ａにおいて、カム体２０を回動させる回転軸３３は、筐体１０の一部を構成するモータ取付部材３２を貫通するように配設されており、モータ取付部材３２の貫通孔３２ａと回転軸３３との間が、Ｏリング（シール部材）３４によりシールされている（図２）。
【００５２】
本実施形態にかかる燃料ガス量制御装置Ａは、このように構成されており、ガス通路３と外部との間でＯリングなどのシール部材によりシールを行う必要がある可動部は、回転軸３３とモータ取付部材３２の貫通孔３２ａの間の箇所（Ｏリング３４が配設されている箇所）だけである。
【００５３】
また、安全弁４は第１スプリング１１で閉弁方向に付勢され、ガス流量調整弁（ニードル弁）６は、第２スプリング１２でガス流量を絞る方向に付勢され、ガス流量調整弁用ロッド（ニードル弁用ロッド）２２が第３スプリング１３によりガス通路３を閉止する方向に付勢されており、運転終了時や待機時において、第１スプリング１１、第２スプリング１２、第３スプリング１３の付勢力で、確実に閉弁するように構成されており、高い安全性が確保されている。
【００５４】
ギアモータには、ポテンショメータ（図示せず）が内蔵されており、燃料ガスを遮断する原点、安全弁４の開弁位置、ガス流量調整弁（ニードル弁）６の最大開度位置、最小開度火力位置、燃料ガスの通流開始位置などのモータ（ギアモータ）３０の位置情報を検出することができるように構成されている。
【００５５】
＜燃料ガス量制御装置の動作＞
以下、この実施形態にかかる燃料ガス量制御装置Ａの動作について説明する。
なお、本明細書において、モータ（ギアモータ）３０の正回転とは、図１において、カム体２０が時計回り（ＣＷ）に回動するときのモータの回転方向をいい、モータ（ギアモータ）３０の逆回転とは、図１において、カム体２０が反時計回り（ＣＣＷ）に回動するときのモータの回転方向をいう。
【００５６】
この燃料ガス量制御装置Ａにおいて、燃料ガスを遮断する待機時のカム体２０の位相は、原点（θ＝０゜）であり、安全弁用ロッド２１、ガス流量調整弁用ロッド（ニードル弁用ロッド）２２のそれぞれは、安全弁４、およびガス流量調整弁（ニードル弁）６を押さない位置にあり、安全弁４、およびガス流量調整弁用ロッド（ニードル弁用ロッド）２２の両方が燃料ガスの通流を遮断する状態となっている（図１）。
【００５７】
なお、本実施形態にかかる燃料ガス量制御装置Ａにおいて、ガス流量調整弁（ニードル弁）６は、燃料ガスの通流量を調整する機能を有するが、通流を閉止する機能を有さず、ガス流量調整弁用ロッド（ニードル弁用ロッド）２２がガス通路３を閉止する機能を果たす。すなわち、ガス流量調整弁用ロッド（ニードル弁用ロッド）２２の当接部２２ａが、ガス通路３内の閉止当接部３ａに当接することによりガス通路３が閉止されるように構成されている。
【００５８】
燃料ガスの通流を開始するときは、モータ（ギアモータ）３０が逆回転し、カム体２０が安全弁ロッド２１を押し、安全弁ロッド２１が安全弁４に当接し、安全弁４を機械的に強制的に開弁させる。
【００５９】
この状態で、安全弁４が備えるコイル（図示せず）に通電することで安全弁４が吸着保持される。
【００６０】
安全弁４が備えるコイル（図示せず）に通電することで安全弁４を吸着保持した後、モータ（ギアモータ）３０を正回転させ、コイルへの通電を遮断したときには安全弁４が閉弁されることになる位置、すなわち、カム体２０の原点（θ＝０゜）位置に戻し、安全弁用ロッド２１が待機位置に戻る。なお、コイルへの通電が継続されることで、安全弁４は、開弁状態を維持している。
【００６１】
カム体２０が原点に戻った後、モータ（ギアモータ）３０をさらに正回転し、カム体２０がガス流量調整弁用ロッド（ニードル弁用ロッド）２２に当接して、これを図１における左方向に押すことで、ガス流量調整弁用ロッド（ニードル弁用ロッド）２２の当接部２２ａと、ガス通路３内の閉止当接部３ａとの間に隙間が形成されることにより、ガス流量調整弁用ロッド（ニードル弁用ロッド）２２により遮断されていた燃料ガスの通流が開始される。
【００６２】
なお、この状態（燃料ガスの通流が開始された状態）では、上述のように、ガス流量調整弁（ニードル弁）６の当接部６ａが、弁座として機能する筐体１０の当接部１０ｂに当接して、この部分では燃料ガスが通流できない状態にあるが、ガス通過孔１６および補助ガス通過孔１６ａにより、最小通流量の燃料ガスがガス通路３を通過する。
【００６３】
その後、カム体の位相をポテンショメータ（図示せず）で検出しながら、ガス流量調整弁（ニードル弁）６の位置が、最小開度の位置と最大開度（全開）の範囲内の所定の位置となるように、モータ（ギアモータ）３０の回転を制御することで、ガス流量調整弁（ニードル弁）６の開閉が制御される。
【００６４】
なお、ガス流量調整弁用ロッド（ニードル弁用ロッド）２２によるガス通路３における燃料ガスの通流の遮断が解除された状態では、安全弁４が備えるコイル（図示せず）への通電を遮断することで、安全弁４が閉弁し、ガスの通流が遮断される。
【００６５】
燃料ガスの通流を遮断するときには、安全弁４が備えるコイル（図示せず）への通電を遮断することで、安全弁４を閉弁するとともに、モータ（ギアモータ）３０を逆回転させて、カム体２０を原点（０度）の位置に戻し、ガス流量調整弁用ロッド（ニードル弁用ロッド）２２を後退させて、ガス通路３における燃料ガスの通流を遮断する。
【００６６】
これにより、安全弁４、およびガス流量調整弁用ロッド（ニードル弁用ロッド）２２のいずれもが燃料ガスの通流を遮断するガス通路３の二重遮断状態となる。なお、ガス流量調整弁用ロッド（ニードル弁用ロッド）２２は、その当接部２２ａが、ガス通路３内の閉止当接部３ａに当接することによりガス通路３を閉止する。
【００６７】
因みに、本実施形態にかかる燃料ガス量制御装置Ａでは、カム体２０の位相がいずれの位相にある場合であっても、安全弁４が備えるコイルへの通電を遮断すると、安全弁４、および、ガス流量調整弁用ロッド（ニードル弁用ロッド）２２の少なくとも一方が燃料ガスの通流を遮断するので、停電時にも燃料ガスの通流が遮断されることになり、安全な燃料ガス量制御装置を実現することができる。
【００６８】
また、ガス流量調整弁（ニードル弁）６を開弁する際に、ガス流量調整弁（ニードル弁）６の開度が徐々に大きくなり、通流する燃料ガスの流量が、小流量から徐々に大流量に増大することになるため、爆発的な着火を招くことを防止することができる。
【００６９】
また、本実施形態にかかる燃料ガス量制御装置Ａでは、安全弁用ロッド２１、ガス流量調整弁用ロッド（ニードル弁用ロッド）２２、および、カム体２０が、ガス通路３内に配設され、モータ（ギアモータ）３０が、筐体１０の外側、すなわち、ガス通路３の外側に配設され、回転軸３３と筐体１０を構成するモータ取付部材３２の貫通孔３２ａの間がＯリング２４によりシールされた構成とされているので、筐体１０を小型化することが可能になり、製造コストを低減することができる。
【００７０】
［別実施形態］
上記実施形態では、モータ（ギアモータ）３０を、筐体１０の外側に配設するように構成した場合について説明したが、本発明の燃料ガス量制御装置Ａは、例えば、図３に示すように、カム体２０を回動させるモータ（この実施形態ではギアモータ）３０が、ガス通路３内に配設された構成とすることができる。
【００７１】
詳しく説明すると、図３に示すように、ガス通路３には、モータ（ギアモータ）３０が収容されるべき領域を確保することができるように、外側に突出したモータ収容領域３Ｘが形成されており、筐体１０にも、上記モータ収容領域３Ｘに対応するように、筐体本体１０ａから外側に突出した突出部１０Ｘが形成されている。
【００７２】
また、筐体１０の外側に突出した領域には、着脱可能な蓋部材１０Ｙを備えており、蓋部材１０Ｙを取り外すことで、モータ（ギアモータ）３０をガス通路３内の所定の位置に設定することができるように構成されている。
【００７３】
また、この別実施形態にかかる燃料ガス量制御装置Ａにおいては、カム体２０を回動させる回転軸３３も、ガス通路３内に配設されている。
【００７４】
そのため、モータを筐体の外側に配設し、回転軸を筐体の外側から内側に貫通、挿入するようにした場合には必要になるような、Ｏリングなどのシール部材によりシールすべき回転軸と筐体との間の可動部をなくすることができる。
【００７５】
その結果、回転軸３３の摺動抵抗のために、モータ（ギアモータ）３０に求められるトルクの大きさが増大することを回避することができる。
【００７６】
また、筐体１０の内部のガス通路３と、筐体１０の外部との間でシールすべき可動部がなくなるため、ガス通路３内を通流する燃料ガスの圧力を高くすることが可能になり、通流量を制御すべき燃料ガスの圧力条件などの自由度の高い燃料ガス量制御装置を実現することが可能になる。
【００７７】
本発明は、上記実施形態および別実施形態に限定されるものではなく、本発明の範囲内において種々の変形を加えることが可能である。
【符号の説明】
【００７８】
Ａ      燃料ガス量制御装置
１      ガス入口
２      ガス出口
３      ガス通路
３ａ    閉止当接部
３Ｘ    モータ収容領域
４      安全弁
４ａ    弁体
６      ガス流量調整弁（ニードル弁）
６ａ    ニードル弁の当接部
１０    筐体
１０ａ  筐体本体
１０ｂ  筐体の当接部
１０Ｘ  筐体の突出部
１０Ｙ  蓋部材
１１    第１スプリング
１２    第２スプリング
１３    第３スプリング
１６    ガス通過孔
１６ａ  補助ガス通過孔
２０    カム体
２１    安全弁用ロッド
２２    ガス流量調整弁用ロッド（ニードル弁用ロッド）
２２ａ  ニードル弁用ロッドの当接部
３０    モータ（ギアモータ）
３２    モータ取付部材
３２ａ  貫通孔
３３    回転軸
３４    シール部材（Ｏリング）
【図１】
2019011911.tif 000003
【図２】
2019011911.tif 000004
【図３】
2019011911.tif 000005